(57)【要約】【課題】本発明は、一般的な販売店舗における量り売り商品についての実用的な自動清算システムの構築を実現する新たな量り売り商品清算処理技術の提供を目的とする。【解決手段】パッケージに入れられた量り売り商品の重量を検出すると、その検出した重量に基づいて、パッケージに入れられた量り売り商品の販売価格を算出して、その検出した重量の情報とその算出した販売価格の情報とをパッケージを載せるトレイに設けられるデータの読み取り書き込みが可能な記録手段に書き込む。そして、トレイの重量を計量して、記録手段の記録情報により特定されるトレイの重量と、その計量した重量とが一致するのか否かをチェックすることで、量り売り商品の清算を行う前や量り売り商品の量り売りに入る前に、量り売り商品の購入に不正がないのかをチェックする。【選択図】図２
2007241926.tif 000002
【特許請求の範囲】
【請求項１】
パッケージに入れられた量り売り商品の清算を行うシステムで実行される量り売り商品清算処理方法であって、
前記パッケージに入れられた量り売り商品の重量を検出する過程と、
前記検出した重量に基づいて、前記パッケージに入れられた量り売り商品の販売価格を算出する過程と、
前記検出した重量の情報と前記算出した販売価格の情報とを、前記パッケージあるいは前記パッケージを載せるトレイに設けられるデータの読み取り書き込みが可能な記録手段に書き込む過程と、
前記記録手段に書き込まれている重量情報に従って、量り売り商品の購入に不正がないのかをチェックする過程と、
前記記録手段に書き込まれている販売価格情報に従って、量り売り商品の清算を実行する過程とを備えることを、
特徴とする量り売り商品清算処理方法。
【請求項２】
請求項１に記載の量り売り商品清算処理方法において、
前記パッケージあるいは前記パッケージを載せるトレイを計量対象として、前記清算の前に、その重量を計量する過程を備え、
前記チェックする過程では、前記清算の前に、前記記録手段に書き込まれている量り売り商品の重量と前記記録手段に書き込まれている前記パッケージあるいは前記パッケージを載せるトレイの重量とを加算することで算出される重量と、前記計量した重量とが一致するのか否かをチェックすることを、
特徴とする量り売り商品清算処理方法。
【請求項３】
請求項１に記載の量り売り商品清算処理方法において、
前記パッケージあるいは前記パッケージを載せるトレイを計量対象として、前記パッケージに量り売り商品が入れられる前に、その重量を計量する過程を備え、
前記チェックする過程では、前記パッケージに量り売り商品が入れられる前に、前記記録手段に書き込まれている量り売り商品の重量と前記記録手段に書き込まれている前記パッケージあるいは前記パッケージを載せるトレイの重量とを加算することで算出される重量と、前記計量した重量とが一致するのか否かをチェックすることを、
特徴とする量り売り商品清算処理方法。
【請求項４】
請求項１ないし３のいずれか１項に記載の量り売り商品清算処理方法において、
前記パッケージあるいは前記パッケージを載せるトレイを計量対象として、前記パッケージに量り売り商品が入れられる前と後においてその載置物の重量を計量することで、その載置物の重量の増加量を測定する過程と、
前記検出した量り売り商品の重量と、前記測定した重量増加量とが一致するのか否かをチェックする過程とを備えることを、
特徴とする量り売り商品清算処理方法。
【請求項５】
パッケージに入れられた量り売り商品の清算を行う量り売り商品清算システムであって、
前記パッケージに入れられた量り売り商品の重量を検出する検出手段と、
前記検出手段の検出した重量に基づいて、前記パッケージに入れられた量り売り商品の販売価格を算出する算出手段と、
前記検出手段の検出した重量の情報と前記算出手段の算出した販売価格の情報とを、前記パッケージあるいは前記パッケージを載せるトレイに設けられるデータの読み取り書き込みが可能な記録手段に書き込む書込手段と、
前記記録手段に書き込まれている重量情報に従って、量り売り商品の購入に不正がないのかをチェックするチェック手段と、
前記記録手段に書き込まれている販売価格情報に従って、量り売り商品の清算を実行する清算手段とを備えることを、
特徴とする量り売り商品清算システム。
【発明の詳細な説明】
【技術分野】
【０００１】
本発明は、購入者や販売者により売り場から取り出されてパッケージに入れられた量り売り商品の清算を行うシステムで実行される量り売り商品清算処理方法と、その量り売り商品清算処理方法を実行する量り売り商品清算システムとに関する。
【背景技術】
【０００２】
スーパーマーケットなどで食品を販売する場合、１個２個というように個数で販売する場合と、お惣菜の量り売りなどのように購入者の希望に合わせた分量でもって販売する場合とがある。
【０００３】
食品を個数でもって販売する場合、その清算は比較的簡単である。食品を個数でもって販売する場合には、食品の１個当たりの単価が決められているので、販売する食品の個数を数えればよいことから、その清算は比較的簡単である。
【０００４】
ただ、スーパーマーケットなどで食品などの商品を購入する場合、購入者は一度に沢山の種類の商品を購入することから、たとえ商品を個数で販売するにしても、その清算は時間のかかるものとなる。
【０００５】
このようなことを背景にして、各商品に販売価格を記録した電子タグを付けるとともに、商品を入れる買物用カートに、その電子タグを読み取ることで買物用カートに入れられた商品の販売価格を取得して、その合計値を算出し表示するという機能を持つクライアント装置を備えることで、一度に沢山の種類の商品が購入される場合に、その清算を短時間に行うことができるようにするという発明が開示されている（例えば、特許文献１参照）。
【０００６】
また、利用者が商品を選択してトレイに載せて清算場所まで運んで、そこでトレイ上の商品の合計金額を清算する場合に、トレイにＩＣタグを装着させて、利用者が商品陳列台から商品を受け取るたびに、その商品の価格情報をＩＣタグに書き込んでいくことで、その清算を自動で行うことができるようにするという発明が開示されている（例えば、特許文献２参照）。
【０００７】
ここで、この引用文献２に記載された発明では、商品が量り売り商品である場合には、トレイを置く商品受取場所に重量センサを設けて、その重量センサにより測定される重量増加分に従って価格情報を算出して、それをＩＣタグに書き込むようにしている。
【０００８】
一方、お惣菜の量り売りなどのように食品を量り売りする場合、その清算は非常に手間のかかるものとなっている。
【０００９】
すなわち、食品を量り売りする場合、購入者に自分の希望する分量だけパッケージに入れさせるようにして、レジでその分量を測ることで、その清算を行うようにしていることから、その清算は非常に手間のかかるものとなっている。
【００１０】
そして、食品を量り売りする場合、各食品でその単価が異なることから１つのパッケージには１つの量り売り食品しか入れることができず、購入者が沢山の量り売り食品を買う場合には、その数だけこの作業を行わなくてはならないことから、その清算は非常に手間のかかるものとなっている。
【特許文献１】特開２０００−２５９９４７号公報
【特許文献２】特開２００４−０２１４１２号公報
【発明の開示】
【発明が解決しようとする課題】
【００１１】
上述したように、食品を量り売りする場合、購入者に自分の希望する分量だけパッケージに入れさせるようにして、レジでその量を測ることで、その清算を行うようにしていることから、その清算は非常に手間のかかるものとなっている。
【００１２】
そして、食品を量り売りする場合、各食品でその単価が異なることから１つのパッケージには１つの量り売り食品しか入れることができず、購入者が沢山の量り売り食品を買う場合には、その数だけこの作業を行わなくてはならないことから、その清算は非常に手間のかかるものとなっている。
【００１３】
しかも、食品を量り売りする場合、各食品でその単価が異なることから１つのパッケージには１つの量り売り食品しか入れることができず、これから、パッケージ資源を沢山使用することになるという問題もある。
【００１４】
一方、引用文献２に記載された発明でも、利用者が選択する商品が量り売り商品である場合には、トレイを置く商品受取場所に重量センサを設けて、その重量センサにより測定される重量増加分に従って価格情報を算出して、それをＩＣタグに書き込むようにしている。
【００１５】
しかしながら、引用文献２に記載された発明では、カフェテリア方式の食堂のような販売方法への適用を想定しており、スーパーマーケットなどのような一般的な販売方法を想定している訳ではないので、食品を量り売りする場合に、購入者が不正を行う可能性があるということを全く考慮していない。ただ単に、利用者が選択する商品が量り売り商品である場合には、その選択した量り売り商品の重量に基づいて価格情報を算出してＩＣタグに書き込むようにしているだけである。
【００１６】
これから、引用文献２に記載された発明を利用しても、スーパーマーケットのような一般的な販売店舗における量り売り商品（量り売りの食品などの商品）についての実用的な自動清算システムを構築することはできない。
【００１７】
本発明はかかる事情に鑑みてなされたものであって、スーパーマーケットのような一般的な販売店舗における量り売り商品についての実用的な自動清算システムの構築を実現する新たな量り売り商品清算処理技術の提供を目的とする。
【課題を解決するための手段】
【００１８】
この目的を達成するために、本発明の量り売り商品清算システムは、量り売り商品の売り場から取り出されてパッケージに入れられた量り売り商品の清算を行うために、（１）各売り場に設けられて、その売り場でパッケージに入れられた量り売り商品の重量を検出する検出手段と、（２）各売り場に設けられて、検出手段の検出した重量に基づいて、その売り場でパッケージに入れられた量り売り商品の販売価格を算出する算出手段と、（３）各売り場に設けられて、検出手段の検出した重量の情報と算出手段の算出した販売価格の情報とを、パッケージあるいはパッケージを載せるトレイに設けられるデータの読み取り書き込みが可能な記録手段に書き込む書込手段と、（４）各売り場および清算場所に設けられて、記録手段に書き込まれている重量情報に従って、量り売り商品の購入に不正がないのかをチェックするチェック手段と、（５）清算場所に設けられて、記録手段に書き込まれている販売価格情報に従って、量り売り商品の清算を実行する清算手段と、（６）各売り場および清算場所に設けられて、パッケージあるいはパッケージを載せるトレイを載置して、その重量を計量する計量手段とを備えるように構成する。
【００１９】
この構成を採るときにあって、さらに、各売り場に設けられて、記録手段に書き込まれている重量情報を使わずに、量り売り商品の購入に不正がないのかをチェックする第２のチェック手段を備えることがある。
【００２０】
このように構成される本発明の量り売り商品清算システムでは、検出手段が、売り場に置かれている量り売り商品の重量変化を検出することなどにより、その売り場でパッケージに入れられた量り売り商品の重量を検出すると、算出手段が、検出手段の検出した重量に基づいて、パッケージに入れられた量り売り商品の販売価格を算出し、書込手段が、検出手段の検出した重量の情報と算出手段の算出した販売価格の情報とを、パッケージあるいはパッケージを載せるトレイに設けられるデータの読み取り書き込みが可能な記録手段に書き込む。
【００２１】
このとき、書込手段は、検出した重量の情報については、それまでの売り場で検出された重量の情報に加算する形で書き込むこともある。
【００２２】
また、算出手段は、１個いくらの形で販売価格が設定されている量り売り商品については、その量り売り商品の１個当たりの平均的な重量と検出手段の検出した重量とに基づいてパッケージに入れられたその量り売り商品の個数を算出して、それに基づいてその量り売り商品の販売価格を算出することになる。
【００２３】
このようにして、パッケージあるいはパッケージを載せるトレイに設けられる記録手段には、各売り場で検出された量り売り商品の重量情報と各売り場で算出された量り売り商品の販売価格情報とが記録されることになる。
【００２４】
これから、本発明の量り売り商品清算システムでは、チェック手段は、パッケージに入れられた量り売り商品の清算を行う前に、計量手段を使って、そのパッケージを載せるトレイの重量（トレイを使わない場合にはそのパッケージの重量）を計量し、記録手段に書き込まれている量り売り商品の重量と記録手段に書き込まれているそのトレイの重量（トレイを使わない場合にはそのパッケージの重量）との加算値を算出して、その算出した加算値とその計量した重量とが一致するのか否かをチェックすることで、清算を行う前に、量り売り商品の購入に不正がないのかをチェックする。
【００２５】
また、チェック手段は、各売り場でパッケージに量り売り商品が入れられる前に、計量手段を使って、そのパッケージを載せるトレイの重量（トレイを使わない場合にはそのパッケージの重量）を計量し、記録手段に書き込まれている量り売り商品の重量と記録手段に書き込まれているそのトレイの重量（トレイを使わない場合にはそのパッケージの重量）との加算値を算出して、その算出した加算値とその計量した重量とが一致するのか否かをチェックすることで、量り売り商品の量り売りに入る前に、量り売り商品の購入に不正がないのかをチェックする。
【００２６】
さらに、第２のチェック手段は、各売り場でパッケージに量り売り商品が入れられる前と後において、計量手段を使って、そのパッケージを載せるトレイの重量（トレイを使わない場合にはそのパッケージの重量）を計量し、その重量増加量を測定することで、そのパッケージに入れられた量り売り商品の重量を測定して、売り場に置かれている検出手段を使って検出した量り売り商品の重量とその測定した重量とが一致するのか否かをチェックすることで、量り売り商品の量り売りを行うときに、量り売り商品の購入に不正がないのかをチェックする。
【００２７】
そして、本発明の量り売り商品清算システムでは、清算手段は、清算場所でパッケージに入れられた量り売り商品を清算するときには、記録手段に書き込まれているこれまでに各売り場で記録手段に書き込んだ販売価格情報に従って、量り売り商品の清算を実行する。
【発明の効果】
【００２８】
このようにして、本発明によれば、量り売り商品の購入に不正が発生したのか否かをチェックすることを実現しつつ、清算場所で個々の量り売り商品の重量を測ることなく、その清算を行うことができるようになる。
【００２９】
そして、１つのパッケージに複数の量り売り商品を入れることができるようになることから、その清算を効率的に行うことができるようになるとともに、パッケージ資源の使用を削減することができるようになる。
【００３０】
このようにして、本発明によれば、スーパーマーケットのような一般的な販売店舗における量り売り商品についての実用的な自動清算システムを構築することができるようになる。
【発明を実施するための最良の形態】
【００３１】
以下、量り売り食品の清算システムに適用した実施の形態に従って本発明を詳細に説明する。
【００３２】
図１に、本発明を具備する量り売り食品清算システムのシステム構成の一例を図示する。
【００３３】
図１に示すように、本発明を具備する量り売り食品清算システムは、量り売り食品を置く複数の食品置台１-i（ｉ＝１〜ｎ）と、食品置台１-iに対応付けて設けられて、後述する構成を採る専用トレイ１００を置く台として用意されるトレイ置台２-i（ｉ＝１〜ｎ）と、ＰＯＳシステムで構成されて、専用トレイ１００に載せられているパッケージに入れられた量り売り食品の清算処理を実行する清算機３と、量り売り食品の価格情報などを管理して食品置台１-iや清算機３に提供する食品情報テーブル４とを備える。
【００３４】
ここで、食品置台１-iには、量り売り食品の販売の制御処理を実行する制御装置１０-i（ｉ＝１〜ｎ）が備えられている。さらに、食品置台１-iには秤が内蔵されていて、自置台に置かれている量り売り食品の重量を検出する機能を有している。
【００３５】
また、トレイ置台２-iには、制御装置１０-iの要求する処理を実行するトレイ側制御装置２０-i（ｉ＝１〜ｎ）が備えられている。さらに、トレイ置台２-iには秤が内蔵されていて、自置台に置かれている専用トレイ１００の重量を検出する機能を有している。
【００３６】
また、食品置台１-iとトレイ置台２-iとの間はケーブルで接続されて、食品置台１-iの備える制御装置１０-iがトレイ側制御装置２０-iとやり取りを行うことで、トレイ置台２-iの検出した重量の情報を入手できるようになっている。
【００３７】
図２に、食品置台１-iおよびトレイ置台２-iの詳細な装置構成を図示し、図３に、清算機３の詳細な装置構成を図示する。
【００３８】
図２に示すように、トレイ置台２-iに置かれる専用トレイ１００には、無線によりデータの読み取り書き込みが可能な電子タグ１０１が取り付けられており、この専用トレイ１００の上に、量り売り食品を入れるための１つ又は複数のパッケージ２００が載せられることになる。
【００３９】
また、図２に示すように、食品置台１-iには、お惣菜などのような量り売り食品が置かれており、対となるトレイ置台２-iに置かれる専用トレイ１００に取り付けられている電子タグ１０１の読み取りと書き込みを行う電子タグリーダライタ１１と、動作状態を示すランプ１２と、量り売り食品の購入者へのメッセージを表示するモニター１３とが備えられる。
【００４０】
また、図３に示すように、清算機３には、専用トレイ１００に取り付けられている電子タグ１０１の読み取りと書き込みを行う電子タグリーダライタ３０が備えられる。さらに、清算機３には秤が内蔵されていて、自置台に置かれている専用トレイ１００の重量を検出する機能を有している。
【００４１】
図４および図５に、専用トレイ１００に取り付けられている電子タグ１０１に書き込まれることになるデータのフォーマットの一例を図示する。
【００４２】
この電子タグ１０１には、図４に示すように、どの専用トレイ１００に取り付けられているものであるのかを示すトレイ番号の情報が予め書き込まれているとともに、トレイ置台２-iの番号、食品番号、食品名、単価、分量、個数および金額の情報を書き込むための書込領域が用意されている。
【００４３】
さらに、この電子タグ１０１には、図５に示すように、取り付け先の専用トレイ１００の重量の情報が予め書き込まれているとともに、トレイ置台２-iの番号、量り売り前の総重量および量り売り後の総重量の情報を書き込むための書込領域が用意されている。
【００４４】
図６に、食品情報テーブル４の管理する情報の一例を図示する。
【００４５】
図６に示すように、食品情報テーブル４は、販売される量り売り食品の食品番号に対応付けて、その量り売り食品の食品名、その量り売り食品の単価の情報、その量り売り食品の賞味期限の情報を管理するとともに、その量り売り食品が１個当たりいくらという販売価格の体系をとる場合には、１個の平均重量と、１個の重量がその平均重量からどの位の重量の範囲にあるのかを示す閾値の情報とを管理する。
【００４６】
このように構成される本発明を具備する量り売り食品清算システムで量り売り食品を買う場合、購入者は、量り売り食品を入れる１つ又は複数のパッケージ２００を専用トレイ１００に載せて、その専用トレイ１００を持ち歩きながら、その専用トレイ１００をトレイ置台２-iに置いて、そこで食品置台１-iから自分の欲しい分量の量り売り食品を取り出してパッケージ２００に入れていくことを繰り返し行って、最後に、その専用トレイ１００を清算機３に持っていくことで、パッケージ２００に入れた量り売り食品の清算を行うことになる。
【００４７】
このような形で量り売り食品の買い物が行われることで、後述する制御装置１０-iの処理に従って、図４に示した電子タグ１０１の書込領域には、例えば、図７に示すように、先ず最初に、食品番号００１の佃煮を扱う食品置台１-iに対応付けて備えられる３番のトレイ置台２-iで、１０ｇ当たり３０円の単価の佃煮５０ｇが１５０円で販売され、続いて、食品番号００３のきんとんを扱う食品置台１-iに対応付けて備えられる５番のトレイ置台２-iで、１０ｇ当たり３０円の単価のきんとん１００ｇが３００円で販売され、続いて、食品番号００４のアジフライを扱う食品置台１-iに対応付けて備えられる８番のトレイ置台２-iで、１個当たり１００円のアジフライ２個が２００円で販売されたということが記録されることになる。
【００４８】
そして、図５に示した電子タグ１０１の書込領域には、例えば、図８に示すように、先ず最初に、３番のトレイ置台２-iで、量り売りの前には量り売り食品の入れられていなかったパッケージ２００に５０ｇが入れられることで、量り売りの後には合計５０ｇの量り売り食品がパッケージ２００に入れられ、続いて、５番のトレイ置台２-iで、量り売りの前には５０ｇの量り売り食品の入れられたパッケージ２００に１００ｇが入れられることで、量り売りの後には合計１５０ｇの量り売り食品がパッケージ２００に入れられ、続いて、８番のトレイ置台２-iで、量り売りの前には１５０ｇの量り売り食品の入れられたパッケージ２００にアジフライ２個分の重量の２０５ｇが入れられることで、量り売りの後には合計３５５ｇの量り売り食品がパッケージ２００に入れられたということが記録されることになる。
【００４９】
図９および図１０に、このような形で量り売り食品の購入が行われるときに、その購入された量り売り食品の自動清算を可能にするために制御装置１０-iが実行する処理フローの一例を図示する。
【００５０】
次に、図９および図１０の処理フローに従って、制御装置１０-iの実行する処理について詳細に説明する。
【００５１】
制御装置１０-iは、販売の開始時刻になることで起動されると、先ず最初に、ステップＳ１０で、ランプ１２を赤で点灯して、モニター１３に、食品置台１-iに置かれている量り売り食品を購入する場合には、専用トレイ１００をトレイ置台２-iに置いて下さいということについて知らせるメッセージを表示する。
【００５２】
このメッセージの表示を受けて、購入者は、量り売り食品を購入する場合には、パッケージ２００を載せた専用トレイ１００をトレイ置台２-iに置くことになるので、これを受けて、トレイ側制御装置２０-iは、トレイ置台２-iの内蔵する秤により測定されたその専用トレイ１００の重量の情報を取得して、それを制御装置１０-iを通知してくる。
【００５３】
これから、制御装置１０-iは、続いて、ステップＳ１１で、トレイ側制御装置２０-iから重量の測定結果が通知されてきたのか否かを判断して、重量測定結果が通知されてこないことを判断するときには、ステップＳ１０の処理に戻ることで重量測定結果が通知されてくるのを待つ。
【００５４】
一方、ステップＳ１１で、トレイ側制御装置２０-iから重量の測定結果が通知されてきたことを判断するときには、ステップＳ１２に進んで、通知されてきた重量の測定結果をメモリに保存する。
【００５５】
続いて、ステップＳ１３で、電子タグリーダライタ１１に対して読み取りを指示することで、トレイ置台２-iに置かれた専用トレイ１００に取り付けられている電子タグ１０１の記録情報を読み取って、その中から必要な情報を抽出する。
【００５６】
具体的に説明するならば、読み取った電子タグ１０１の記録情報の中から、電子タグ１０１に記録されている専用トレイ１００の重量の情報と、電子タグ１０１に記録されている量り売り後の総重量の情報の内の最後に記録されている総重量の情報とを抽出する。
【００５７】
例えば、この量り売り食品の売り場が図８に示した例における第１番目の売り場である場合には、２００ｇというトレイ重量と、この時点ではまだ量り売り後の総重量の情報が何も記載されていないことに対応して、０ｇという総重量とを抽出するのである。また、この量り売り食品の売り場が図８に示した例における第２番目の売り場である場合には、２００ｇというトレイ重量と、この時点では第１番目の売り場での量り売り後の総重量の情報しか記載されていないことに対応して、５０ｇという量り売り後の総重量とを抽出するのである。
【００５８】
ここで、ステップＳ１３の処理において、電子タグ１０１の記録情報を読み取ることができない場合には、店員へアラームを通知するなどの処理を行うことになる。
【００５９】
続いて、ステップＳ１４で、ステップＳ１３で抽出した専用トレイ１００の重量と、ステップＳ１３で抽出した量り売り食品の総重量との加算値を算出することで、電子タグ１０１の記録情報から特定されることになるパッケージ２００の載せられた専用トレイ１００の重量を算出する。
【００６０】
続いて、ステップＳ１５で、ステップＳ１２でメモリに保存した重量（トレイ側制御装置２０-iから通知されてきた重量）と、ステップＳ１４で算出した重量とが一致するのか否かを判断する。
【００６１】
このステップＳ１５の判断処理に従って、トレイ側制御装置２０-iから通知されてきた重量と、電子タグ１０１の記録情報から特定した重量とが一致しないことを判断するときには、ステップＳ１６に進んで、モニター１３に、食品置台１-iに置かれている量り売り食品を購入することが不可能であることについて知らせるメッセージを表示してから、ステップＳ１０の処理に戻る。
【００６２】
トレイ側制御装置２０-iから通知されてきた重量と、電子タグ１０１の記録情報から特定した重量とが一致しないことを判断するときには、専用トレイ１００に載せられていたパッケージ２００が別のところに移されてしまったといったような不正が行われた可能性があるので、購入不可能のメッセージを表示するのである。
【００６３】
一方、ステップＳ１５の判断処理に従って、トレイ側制御装置２０-iから通知されてきた重量と、電子タグ１０１の記録情報から特定した重量とが一致することを判断するときには、ステップＳ１７に進んで、ランプ１２を緑で点灯して、モニター１３に、食品置台１-iに置かれている量り売り食品を購入することが可能であることについて知らせるメッセージを表示する。
【００６４】
このメッセージの表示を受けて、購入者は、食品置台１-iから自分の欲しい分量の量り売り食品を取り出してパッケージ２００に入れることになる。
【００６５】
これから、制御装置１０-iは、続いて、ステップＳ１８で、食品置台１-iの内蔵する秤の測定結果を監視することで、食品置台１-iに置かれている量り売り食品の重量が変化したのか否かを判断して、量り売り食品の重量が変化しないことを判断するときには、その重量が変化するのを待つ。
【００６６】
一方、ステップＳ１８の判断処理に従って、食品置台１-iに置かれている量り売り食品の重量が変化したことを判断するときには、ステップＳ１９に進んで、その重量変化に基づいて、パッケージ２００に入れられた量り売り食品の重量を検出する。
【００６７】
続いて、ステップＳ２０で、トレイ側制御装置２０-iに対して、専用トレイ１００の重量測定を要求する。
【００６８】
この重量測定要求を受けて、トレイ側制御装置２０-iは、トレイ置台２-iの内蔵する秤により測定された専用トレイ１００の重量の情報を取得して、それを制御装置１０-iを通知してくる。
【００６９】
これから、制御装置１０-iは、続いて、ステップＳ２１で、トレイ側制御装置２０-iから重量の測定結果が通知されてきたのか否かを判断して、重量の測定結果が通知されてこないことを判断するときには、それが通知されてくるのを待つ。
【００７０】
一方、ステップＳ２１で、トレイ側制御装置２０-iから重量の測定結果が通知されてきたことを判断するときには、ステップＳ２２に進んで、ステップＳ１２でメモリに保存した重量の測定結果と、今回通知されてきた重量の測定結果との差分値を算出することで、パッケージ２００に入れられた量り売り食品の重量を検出する。
【００７１】
続いて、ステップＳ２３で、ステップＳ１９で検出した量り売り食品の重量（食品置台１-iの内蔵する秤で測定した重量）と、ステップＳ２２で検出した量り売り食品の重量（トレイ置台２-iの内蔵する秤で測定した重量）とが一致するのか否かを判断する。
【００７２】
このステップＳ２３の判断処理に従って、２つの検出した量り売り食品の重量が一致しないことを判断するときには、ステップＳ２４に進んで、モニター１３に、食品置台１-iから取り出した量り売り食品の全てをパッケージ２００に入れることについて知らせるといったような正しい操作を促すメッセージを表示してから、ステップＳ２０の処理に戻る。
【００７３】
食品置台１-iから量り売り食品が取り出される場合に、食品置台１-iの内蔵する秤で測定した量り売り食品の重量とトレイ置台２-iの内蔵する秤で測定した量り売り食品の重量とが一致しないということは、食品置台１-iから取り出された量り売り食品が専用トレイ１００上のパッケージ２００に入れられないといったような不正が行われた可能性があったり、別のものを専用トレイ１００に載せてしまったというようなことがあることを意味するので、正しい操作を促すメッセージを表示するのである。
【００７４】
一方、ステップＳ２３の判断処理に従って、食品置台１-iの内蔵する秤で測定した量り売り食品の重量とトレイ置台２-iの内蔵する秤で測定した量り売り食品の重量とが一致することを判断するときには、ステップＳ２５に進んで、食品情報テーブル４を参照することで、パッケージ２００に入れられた量り売り食品である自装置の設置される食品置台１-iで販売する量り売り食品の単価の情報を取得する。
【００７５】
すなわち、制御装置１０-iは、自装置の設置される食品置台１-iで販売する量り売り食品の食品番号については知っているので、その食品番号をキーにして食品情報テーブル４を参照することで、パッケージ２００に入れられた量り売り食品の単価の情報を取得するのである。
【００７６】
続いて、ステップＳ２６で、ステップＳ１９で検出した量り売り食品の重量と、ステップＳ２５で取得した単価の情報とに基づいて、パッケージ２００に入れられた量り売り食品の販売価格を算出する。
【００７７】
すなわち、パッケージ２００に入れられた量り売り食品の単価の情報が単位ｇ当たりいくらという販売価格の体系をとる場合には、ステップＳ１９で検出した量り売り食品の重量とその単価の情報とを乗算することで、パッケージ２００に入れられた量り売り食品の販売価格を算出する。
【００７８】
また、パッケージ２００に入れられた量り売り食品の単価の情報が１個当たりいくらという販売価格の体系をとる場合には、ステップＳ１９で検出した量り売り食品の重量を１個の平均重量で割り算することで、パッケージ２００に入れられた量り売り食品の個数を算出して、その算出した個数と１個当たりの価格とを乗算することで、パッケージ２００に入れられた量り売り食品の販売価格を算出する。このとき、１個の重量がその平均重量からどの位の重量の範囲にあるのかを示す閾値の情報を参考にしながら、パッケージ２００に入れられた量り売り食品の個数を算出することになる。
【００７９】
続いて、ステップＳ２７で、電子タグリーダライタ１１に対して書き込みを指示することで、トレイ置台２-iに置かれた専用トレイ１００に取り付けられている電子タグ１０１に対して、トレイ置台２-iの番号に対応付ける形で、パッケージ２００に入れられた量り売り食品の食品名（予め分かっている）と、その量り売り食品の食品番号（予め分かっている）と、食品情報テーブル４から取得したその量り売り食品の単価の情報と、パッケージ２００に入れられたその量り売り食品の分量あるいは個数の情報と、算出したその量り売り食品の販売価格の情報とを書き込む。さらに、トレイ置台２-iの番号に対応付ける形で、量り売り前の量り売り食品の総重量（一つ前の売り場での量り売り後の総重量）と、量り売り後の量り売り食品の総重量（量り売り前の総重量に今回販売した重量を加算したもの）とを書き込む。
【００８０】
例えば、この量り売り食品の売り場が図７に示した例における第１番目の売り場である場合には、電子タグリーダライタ１１に対して書き込みを指示することで、トレイ置台２-iに置かれた専用トレイ１００に取り付けられている電子タグ１０１に対して、図７に示すように、３というトレイ置台２-iの番号に対応付ける形で、１０ｇ当たり３０円の単価の食品番号００１の佃煮５０ｇを１５０円で販売したという販売情報を書き込むとともに、図８に示すように、３というトレイ置台２-iの番号に対応付ける形で、パッケージ２００に入れられた量り売り食品の総重量が量り売り前には０ｇであったものが量り売り後には５０ｇになったという重量情報を書き込むのである。
【００８１】
続いて、ステップＳ２８で、モニター１３に、販売した量り売り食品の価格情報などを表示する。
【００８２】
例えば、パッケージ２００に入れられたものが佃煮５０ｇで、その販売価格は１５０円であるというような価格情報を表示するのである。
【００８３】
この後、購入者は、専用トレイ１００を持って次の売り場に向かうことになるので、これを受けて、トレイ側制御装置２０-iは、トレイ置台２-iの内蔵する秤により重量なしの状態が検出されることで重量測定終了を検出すると、それを制御装置１０-iに通知してくる。
【００８４】
これから、制御装置１０-iは、続いて、ステップＳ２９で、トレイ側制御装置２０-iから重量の測定終了が通知されてきたのか否かを判断して、重量の測定終了が通知されてこないことを判断するときには、それが通知されてくるのを待つ。
【００８５】
一方、ステップＳ２９の判断処理に従って、トレイ側制御装置２０-iから重量の測定終了が通知されてきたことを判断するときには、次の購入者への販売を行うべく、ステップＳ１０の処理に戻る。
【００８６】
このようにして、各食品置台１-iの備える制御装置１０-iの処理に従って、不正な購入が行われることを防止しつつ、販売員が介在することなく量り売り食品の販売を行うことができるようになる。
【００８７】
そして、各食品置台１-iの備える制御装置１０-iの処理に従って、図４に示した電子タグ１０１の書込領域には、例えば、図７に示すように、先ず最初に、食品番号００１の佃煮を扱う食品置台１-iに対応付けて備えられる３番のトレイ置台２-iで、１０ｇ当たり３０円の単価の佃煮５０ｇが１５０円で販売され、続いて、食品番号００３のきんとんを扱う食品置台１-iに対応付けて備えられる５番のトレイ置台２-iで、１０ｇ当たり３０円の単価のきんとん１００ｇが３００円で販売され、続いて、食品番号００４のアジフライを扱う食品置台１-iに対応付けて備えられる８番のトレイ置台２-iで、１個当たり１００円のアジフライ２個が２００円で販売されたということが記録されることになる。
【００８８】
そして、各食品置台１-iの備える制御装置１０-iの処理に従って、図５に示した電子タグ１０１の書込領域には、例えば、図８に示すように、先ず最初に、３番のトレイ置台２-iで、量り売りの前には量り売り食品の入れられていなかったパッケージ２００に５０ｇが入れられることで、量り売りの後には合計５０ｇの量り売り食品がパッケージ２００に入れられ、続いて、５番のトレイ置台２-iで、量り売りの前には５０ｇの量り売り食品の入れられたパッケージ２００に１００ｇが入れられることで、量り売りの後には合計１５０ｇの量り売り食品がパッケージ２００に入れられ、続いて、８番のトレイ置台２-iで、量り売りの前には１５０ｇの量り売り食品の入れられたパッケージ２００にアジフライ２個分の重量の２０５ｇが入れられることで、量り売りの後には合計３５５ｇの量り売り食品がパッケージ２００に入れられたということが記録されることになる。
【００８９】
清算機３は、専用トレイ１００に載せられたパッケージ２００に入れられた量り売り食品の清算要求があると、専用トレイ１００に取り付けられている電子タグ１０１の記録するこれらの記録情報に従って、量り売り食品の清算を実行することになる。
【００９０】
次に、図１１の処理フローに従って、清算機３の実行する処理について詳細に説明する。
【００９１】
清算機３は、専用トレイ１００に載せられたパッケージ２００に入れられた量り売り食品の清算要求があると、先ず最初に、ステップＳ３０で、内蔵する秤を使って、パッケージ２００の載せられた清算要求のある専用トレイ１００の重量を測定する。
【００９２】
続いて、ステップＳ３１で、電子タグリーダライタ３０に対して読み取りを指示することで、清算要求のある専用トレイ１００に取り付けられている電子タグ１０１の記録情報を読み取る。
【００９３】
すなわち、図７および図８に示すような情報について記録する電子タグ１０１の記録情報を読み取るのである。
【００９４】
続いて、ステップＳ３２で、読み取った電子タグ１０１の記録情報の中から、専用トレイ１００の重量の情報と、量り売り後の総重量の情報の内の最後に記録されている総重量の情報とを抽出して、その抽出した専用トレイ１００の重量と、その抽出した量り売り食品の総重量との加算値を算出することで、電子タグ１０１の記録情報から特定されることになるパッケージ２００の載せられた専用トレイ１００の重量を算出する。
【００９５】
例えば、図８に例示した記録情報の記録されている電子タグ１０１を読み取るときには、２００ｇという専用トレイ１００の重量と、３５５ｇというパッケージ２００に入れられた量り売り食品の総重量との加算値を算出することで、電子タグ１０１の記録情報から特定されることになるパッケージ２００の載せられた専用トレイ１００の重量を算出するのである。
【００９６】
続いて、ステップＳ３３で、ステップＳ３０で測定した重量と、ステップＳ３２で算出した重量とが一致するのか否かを判断する。
【００９７】
このステップＳ３３の判断処理に従って、実際に測定した重量と、電子タグ１０１の記録情報から特定した重量とが一致しないことを判断するときには、ステップＳ３４に進んで、手作業による清算に切り換えて、パッケージ２００に入れられた量り売り食品の清算を行って、処理を終了する。
【００９８】
一方、ステップＳ３３の判断処理に従って、実際に測定した重量と、電子タグ１０１の記録情報から特定した重量とが一致することを判断するときには、ステップＳ３５に進んで、食品情報テーブル４から、パッケージ２００に入れられた量り売り食品の賞味期限の情報を取得する。
【００９９】
すなわち、ステップＳ３１で電子タグ１０１から読み取った記録情報には、図７に示すように、パッケージ２００に入れられた各量り売り食品の食品番号が記録されているので、この食品番号をキーにして食品情報テーブル４を参照することで、パッケージ２００に入れられた量り売り食品の賞味期限の情報を取得するのである。
【０１００】
続いて、ステップＳ３６で、ステップＳ３１で電子タグ１０１から読み取った記録情報に記録されている販売価格の合計金額を算出する。
【０１０１】
すなわち、ステップＳ３１で電子タグ１０１から読み取った記録情報には、図７に示すように、パッケージ２００に入れられた各量り売り食品の販売価格の情報が記録されているので、これらの販売価格の合計金額を算出するのである。
【０１０２】
続いて、ステップＳ３７で、ステップＳ３１で電子タグ１０１から読み取った記録情報の内、購入者に提示する必要のある情報を抽出して、その抽出した情報と、ステップＳ３６で算出した販売価格の合計金額の情報とを表示する。
【０１０３】
例えば、図１２に示すように、どういう量り売り食品がパッケージ２００に入れられていて、その分量や個数はこういう値で、その販売価格はこういう金額で、それらの販売価格の合計金額はこういう金額になるということを表示するのである。
【０１０４】
続いて、ステップＳ３８で、ステップＳ３６で算出した合計金額に基づいて、パッケージ２００に入れられた量り売り食品の清算を行う。
【０１０５】
続いて、ステップＳ３９で、ステップＳ３５で取得した賞味期限の情報についても記載する形でレシートを印刷して、処理を終了する。
【０１０６】
このようにして、清算機３の処理に従って、清算要求のある専用トレイ１００に取り付けられている電子タグ１０１の記録情報に従って、不正な購入が行われることを防止しつつ、清算場所で個々の量り売り食品の重量を測ることなく、パッケージ２００に入れられた量り売り食品の清算を行うことができるようになる。
【０１０７】
以上に説明した実施形態例では、１つの食品置台１-iに１つのトレイ置台２-iを対応付けて備えるという構成を採ったが、図１３に示すように、１つの食品置台１-iに例えば２つのトレイ置台２ａ-i，２ｂ-iを設けるというように、複数のトレイ置台２-iを設けるようにするという構成を採ることも可能である。
【０１０８】
この場合には、量り売り食品をパッケージ２００に入れるために使われる器具として、それぞれのトレイ置台２ａ-i，２ｂ-iに専用のものを用意し、それらの器具にも電子タグを付けて、本来の器具でないものを使って量り売り食品がパッケージ２００に入れられるようなことが起こる場合には、アラーム音などを発生することなどにより、そのようなことが起こらないようにするという構成を採ることになる。
【０１０９】
また、図１４に示すように、量り売り食品Ａを置く食品置台１Ａ-iと、量り売り食品Ｂを置く食品置台１Ｂ-iと、量り売り食品Ｃを置く食品置台１Ｃ-iという３台の食品置台１-iに対応付けて１つのトレイ置台２-iを備えるというように、複数の食品置台１-iに対応付けて１つのトレイ置台２-iを設けるようにするという構成を採ることも可能である。
【０１１０】
この場合には、量り売り食品をパッケージ２００に入れるために使われる器具として、それぞれの食品置台１-iに専用のものを用意し、それらの器具にも電子タグを付けて、どの量り売り食品がパッケージ２００に入れられたのかが分かるようにするという構成を採ることになる。
【０１１１】
図示実施形態例に従って本発明を説明したが、本発明はこれに限定されるものではない。例えば、実施形態例では、図８に示すように、制御装置１０-iが量り売り後の総重量を電子タグ１０１に記録するようにして、新たな量り売りを行う制御装置１０-iがそれを読み取って使用するという構成を採ったが、各制御装置１０-iが個々の量り売り食品の重量をそのまま電子タグ１０１に記録するようにして、新たな量り売りを行う制御装置１０-iがそれらの重量を読み取って総重量を算出するようにするという構成を採ってもよい。
【０１１２】
また、実施形態例では、購入者が自分で量り売り食品を選んでパッケージ２００に入れるということを想定したが、本発明は、店舗の販売者が購入者の要求に従って量り売り食品を選んでパッケージ２００に入れるというような場合にもそのまま適用できるものである。
【０１１３】
また、実施形態例では、量り売り食品への適用を具体例にして本発明を説明したが、本発明は、量り売り食品以外の量り売り商品に対してもそのまま適用できるものである。
【産業上の利用可能性】
【０１１４】
本発明によれば、量り売り商品の購入に不正が発生したのか否かをチェックすることを実現しつつ、清算場所で個々の量り売り商品の重量を測ることなく、その清算を行うことができるようになる。
【０１１５】
そして、１つのパッケージに複数の量り売り商品を入れることができるようになることから、その清算を効率的に行うことができるようになるとともに、パッケージ資源の使用を削減することができるようになる。
【０１１６】
（付記１）パッケージに入れられた量り売り商品の清算を行うシステムで実行される量り売り商品清算処理方法であって、前記パッケージに入れられた量り売り商品の重量を検出する過程と、前記検出した重量に基づいて、前記パッケージに入れられた量り売り商品の販売価格を算出する過程と、前記検出した重量の情報と前記算出した販売価格の情報とを、前記パッケージあるいは前記パッケージを載せるトレイに設けられるデータの読み取り書き込みが可能な記録手段に書き込む過程と、前記記録手段に書き込まれている重量情報に従って、量り売り商品の購入に不正がないのかをチェックする過程と、前記記録手段に書き込まれている販売価格情報に従って、量り売り商品の清算を実行する過程とを備えることを、特徴とする量り売り商品清算処理方法。
【０１１７】
（付記２）付記１に記載の量り売り商品清算処理方法において、前記パッケージあるいは前記パッケージを載せるトレイを計量対象として、前記清算の前に、その重量を計量する過程を備え、前記チェックする過程では、前記清算の前に、前記記録手段に書き込まれている量り売り商品の重量と前記記録手段に書き込まれている前記パッケージあるいは前記パッケージを載せるトレイの重量とを加算することで算出される重量と、前記計量した重量とが一致するのか否かをチェックすることを、特徴とする量り売り商品清算処理方法。
【０１１８】
（付記３）付記１に記載の量り売り商品清算処理方法において、前記パッケージあるいは前記パッケージを載せるトレイを計量対象として、前記パッケージに量り売り商品が入れられる前に、その重量を計量する過程を備え、前記チェックする過程では、前記パッケージに量り売り商品が入れられる前に、前記記録手段に書き込まれている量り売り商品の重量と前記記録手段に書き込まれている前記パッケージあるいは前記パッケージを載せるトレイの重量とを加算することで算出される重量と、前記計量した重量とが一致するのか否かをチェックすることを、特徴とする量り売り商品清算処理方法。
【０１１９】
（付記４）付記１ないし３のいずれか１項に記載の量り売り商品清算処理方法において、前記パッケージあるいは前記パッケージを載せるトレイを計量対象として、前記パッケージに量り売り商品が入れられる前と後においてその載置物の重量を計量することで、その載置物の重量の増加量を測定する過程と、前記検出した量り売り商品の重量と、前記測定した重量増加量とが一致するのか否かをチェックする過程とを備えることを、特徴とする量り売り商品清算処理方法。
【０１２０】
（付記５）付記１ないし４のいずれか１項に記載の量り売り商品清算処理方法において、前記算出する過程では、１個いくらの形で販売価格が設定されている量り売り商品については、その量り売り商品の１個当たりの平均的な重量と前記検出した重量とに基づいて前記パッケージに入れられたその量り売り商品の個数を算出して、それに基づいてその量り売り商品の販売価格を算出することを、特徴とする量り売り商品清算処理方法。
【０１２１】
（付記６）パッケージに入れられた量り売り商品の清算を行う量り売り商品清算システムであって、前記パッケージに入れられた量り売り商品の重量を検出する検出手段と、前記検出手段の検出した重量に基づいて、前記パッケージに入れられた量り売り商品の販売価格を算出する算出手段と、前記検出手段の検出した重量の情報と前記算出手段の算出した販売価格の情報とを、前記パッケージあるいは前記パッケージを載せるトレイに設けられるデータの読み取り書き込みが可能な記録手段に書き込む書込手段と、前記記録手段に書き込まれている重量情報に従って、量り売り商品の購入に不正がないのかをチェックするチェック手段と、前記記録手段に書き込まれている販売価格情報に従って、量り売り商品の清算を実行する清算手段とを備えることを、特徴とする量り売り商品清算システム。
【０１２２】
（付記７）商品を量り売りする売り場に設置されて、量り売り商品の入れられるパッケージあるいはそのパッケージを載せるトレイに設けられるデータの読み取り書き込みが可能な記録手段に対して、その売り場で販売された量り売り商品についての情報を書き込む量り売り商品販売支援装置であって、自装置の設置される売り場に置かれている量り売り商品の重量変化を検出することで、その売り場で前記パッケージに入れられた量り売り商品の重量を検出する検出手段と、前記検出手段の検出した重量に基づいて、前記パッケージに入れられた量り売り商品の販売価格を算出する算出手段と、前記検出手段の検出した重量の情報と前記算出手段の算出した販売価格の情報とを、前記記録手段に書き込む書込手段とを備えることを、特徴とする量り売り商品販売支援装置。
【図面の簡単な説明】
【０１２３】
【図１】本発明を具備する量り売り食品清算システムのシステム構成図である。
【図２】食品置台およびトレイ置台の装置構成図である。
【図３】清算機の装置構成図である。
【図４】電子タグに書き込まれるデータのフォーマットの説明図である。
【図５】電子タグに書き込まれるデータのフォーマットの説明図である。
【図６】食品情報テーブルの管理する情報の説明図である。
【図７】電子タグに書き込まれるデータの一例を示す図である。
【図８】電子タグに書き込まれるデータの一例を示す図である。
【図９】制御装置の実行する処理フローである。
【図１０】制御装置の実行する処理フローである。
【図１１】清算機の実行する処理フローである。
【図１２】購入者に提示する情報の一例を示す図である。
【図１３】食品置台とトレイ置台の設置形態の説明図である。
【図１４】食品置台とトレイ置台の設置形態の説明図である。
【符号の説明】
【０１２４】
１      食品置台
２      トレイ置台
３      清算機
４      食品情報テーブル
１０    制御装置
１１    電子タグリーダライタ
１２    ランプ
１３    モニター
２０    トレイ側制御装置
３０    電子タグリーダライタ
１００  専用トレイ
１０１  電子タグ
２００  パッケージ
【図１】
2007241926.tif 000003
【図２】
2007241926.tif 000004
【図３】
2007241926.tif 000005
【図４】
2007241926.tif 000006
【図５】
2007241926.tif 000007
【図６】
2007241926.tif 000008
【図７】
2007241926.tif 000009
【図８】
2007241926.tif 000010
【図９】
2007241926.tif 000011
【図１０】
2007241926.tif 000012
【図１１】
2007241926.tif 000013
【図１２】
2007241926.tif 000014
【図１３】
2007241926.tif 000015
【図１４】
2007241926.tif 000016